(57)【特許請求の範囲】
【請求項１】
養蜂箱に巣門と通気口とを備えた養蜂箱本体と、該養蜂箱本体との開閉を自在にした養蜂箱蓋とから成る養蜂箱において、前記巣門と通気口との開閉に上下摺動自在となる可動扉を設け、該可動扉の作動にＬ字状に形成してなる折曲弾材を取り付けたことを特徴とする巣門の開閉蓋を備えた養蜂箱。
【請求項２】
前項の可動扉が両側部の可動扉側板に付設され該両側部の可動側板を介して可動扉を上下に摺動自在にし、更に前記可動扉の上下摺動の折曲弾材としてスプリングを介して開閉自在にする請求項１記載の巣門の開閉蓋を備えた養蜂箱。
【請求項３】
前記可動扉の開閉操作に止め金具を用い、巣門を密封状態にする場合には可動扉を前記折曲弾材用スプリングにて押圧して止め金具で係止し、一方巣門を開封状態にする場合には前記止め金具を取りはずして前記折曲弾材用スプリングの弾力により、可動扉を瞬時に上部に押し上げて巣門を開封する請求項２記載の巣門の開閉蓋を備えた養蜂箱。
【発明の詳細な説明】
【０００１】
【産業上の利用分野】
本発明は養蜂箱に関するが、詳しくは養蜂箱における巣門の開閉蓋に関するものである。
【０００２】
【従来の技術】
従来から一般的に使用されている養蜂箱における巣門の開閉は可動式の扉を上下に移動して行っていた。すなわち、下側の巣門と上側の通気口との間を相互に開閉させる可動式扉を使用するものである。この従来方式では、扉の作動が円滑に可動させることが困難であるばかりか持ち運びや車両運搬中に扉が開き、中の蜂が外に飛び出してしまうなど多くの欠点があった。特に、最近蜜蜂がハウス用の交配に用いられるようになったために養蜂箱の移動運搬が頻繁となり、その不便さが目立ち何らかの解決策が求められていた。
【０００３】
例えば、図６に図示されているように従来方式は上下に摺動移動させる可動扉20が開いている。すなわち、巣門21の開閉は可動扉20を手でもって上下に移動させて巣門21を開門させた場合に、通気口23が開き逆に巣門21を閉門させた場合は網張り22より通風させるようにしてある。この方式では巣門21を開門させる場合は、可動扉20をいちいち持ち上げて、落下しないように釘などの止め金具でもって止めなければならない不便がある。また長年使用することによっては、可動扉20の上下摺動がスムーズに行われず半開きなどの原因にもなったりしていた。
【０００４】
そこで、このような従来方式を改良するために本願出願人が開発したものが図７に開示されている。すなわち、本図に示されているのは実公平２−４２１２５号の養蜂箱における巣門開閉装置であって、箱体の下方部に三ヶ月形状の巣門を形成しかつ上方部に円形状の通気口を形成してなる巣箱と、前記通気口よりも大きく形成してなる円形状の開閉蓋とを設け、前記開閉蓋が半回転しかつ該回転により通気口と巣門とが交互に封止される巣箱の位置に弾設してなる構成からなり、前記開閉蓋を介して通気口部の封止により巣門部が開封し、一方巣門部の封止により通気口部が開封することを特徴とする養蜂箱における巣門開閉装置の提供にある。例えば、本図に示すように開閉蓋31は円形状に成形してあり、上方部には取手33が下方部には支持部32が具備してある。取手33はスプリング34を係止すると共に開閉蓋31を上下に回転させるために設けたものであり、支持部32は開閉蓋31を上下に回転させるための支点であり止め金44にて表板40に止めてある。取手33に係止したスプリング34は、他端を止め金35にて表板39の縦板38に固定してある。36と37は、開閉蓋31を保持せしめるためのストッパーである。
【０００５】
更に、その後本願出願人が改良しがものが図８に図示されており特許第２７８３９７７号の特許公報のとおり特許になっている。すなわち、この特許発明の養蜂箱本体５１は、木製の素材を用いて箱状に加工されておりその一側面（前方）には巣門５７と通気口５２が形成されている。巣門５７は下段中央部に細長状に穴設されており、通気口５２はその上方中央部に円形状に穴設されている。また、この通気口５２には網張りＡされている。５３は通気口５２の開閉蓋であり、木製板を円形状に形成し、その表面には開閉蓋５３を手動操作するための作動ツマミ５４が取付けてある。また、この開閉蓋５３は巣門を開閉する機能も有している。５５は開閉蓋５３を通気口５２に取り付けたための支軸ネジであり、この支軸ネジ５５を軸心にして開閉蓋５３が回転自在となるように構成されている。５６は開閉蓋５３を一定の位置で係止させるためのストッパーであり、作動ツマミ５４が係止されるように構成されている。
【０００６】
【発明が解決しようとする課題】
かかる従来方式による巣門の開閉蓋を改良したところに本発明が解決しようとする課題を有する。
【０００７】
【課題を解決する手段】
本発明は上記の如き課題を解決するために開発したものであって、養蜂箱に巣門と通気口とを備えた養蜂箱本体と該養蜂箱本体との開閉を自在にした養蜂箱蓋とから成る養蜂箱において、前記巣門と通気口との開閉に上下摺動自在となる可動扉を設け、該可動扉の作動にＬ字状に形成してなる折曲弾材を取り付けたことを特徴とする巣門の開閉蓋を備えた養蜂箱の提供にある。また本発明は、前項の可動扉が両側部の可動扉側板に付設され該両側部の可動側板を介して可動扉を上下に摺動自在にし、更に前記可動扉の上下摺動の折曲弾材としてスプリングを介して開閉自在にする巣門の開閉蓋を備えた養蜂箱の提供にあり、更に前記可動扉の開閉操作に止め金具を用い巣門を密封状態にする場合には可動扉を前記折曲弾材用スプリングにて押圧して止め金具で係止し、一方巣門を開封状態にする場合には前記止め金具を取りはずして前記折曲弾材用スプリングの弾力により可動扉を瞬時に上部に押し上げて巣門を開封する巣門の開閉蓋を備えた養蜂箱の提供にある。
【０００８】
【発明の実施の形態】
本発明の実施形態は、養蜂箱に巣門と通気口とを備えた養蜂箱本体と該養蜂箱本体との開閉を自在にした養蜂箱蓋とから成る養蜂箱において、前記巣門と通気口との開閉に上下摺動自在となる可動扉を設け該可動扉の作動にＬ字状に形成してなる折曲弾材を取り付けたことを特徴とする巣門の開閉蓋を備えた養蜂箱であるから、止め金具の手動操作で可動扉の開閉操作を行うことができる。
【０００９】
また本発明は、前項の可動扉が両側部の可動扉側板に付設され該両側部の可動側板を介して可動扉を上下に摺動自在にし更に前記可動扉の上下摺動の折曲弾材としてスプリングを介して開閉自在にする巣門の開閉蓋を備えた養蜂箱であるから、可動扉の上下摺動が折曲弾材のスプリング反動作用で自動的に行うことができる。
更に本発明の実施形態は、前記可動扉の開閉操作に止め金具を用い巣門を密封状態にする場合には可動扉を前記折曲弾材用スプリングにて押圧して止め金具で係止し、一方巣門を開封状態にする場合には前記止め金具を取りはずして前記折曲弾用スプリングの弾力により可動扉を瞬時に上部に押し上げて巣門を開封する請求項２記載の巣門の開閉蓋を備えた養蜂箱であるから、止め金具の差し込みと引抜きの操作での可動扉を開閉することができる。
【００１０】
更に本発明の実施形態は、前項可動扉の開閉操作に止め金具を用い巣門を密封状にする場合には可動扉を折曲弾材に押圧して止め金具で係止し、一方巣門を開封状態にする場合には前記止め金具を取りはずして折曲弾材の弾力により可動扉を瞬時に上部に押し上げて巣門を開封する養蜂箱における巣門の開閉蓋であるから、止め金具の差し込みと引き抜きの操作での可動扉を開閉することができる。
【００１１】
【実施例】
以下、図面によって本発明の実施例について説明する。
図１と図２は、本発明からなる養蜂箱を示した斜視図と組立分解図である。本発明は従来の養蜂箱における巣門の開閉蓋に関するものであるから、その部分についてのみ詳述する。
【００１２】
まず、通気口に網張り３を有する養蜂箱本体１の底板２端部に折曲部９を有する２本の折曲弾材８を左右に止め釘１０で固着する。この折曲弾材８はＬ字状の硬質鉄板に折曲部９が形成されているので、折曲弾材８の一方を固定することによって、他方がスプリング状に上下に弾圧されるように構成されている。すなわち、上向になっている折曲弾材８の一辺を上方部から押圧することによって押え付けられているときは反撥状態で押えられており、その押圧を解除すると反撥されることになる。
【００１３】
次に、本発明で使用される可動扉３は網張りＡされている通気口と巣門１２とを上下移動させてそれぞれを開閉するように構成されている。この可動扉３は、２枚の可動扉側板５、５で養蜂箱本体１の巣門１２と網張りＡ側に付設されている。すなわち、２枚の可動扉側板５、５の内側に形成されている可動扉３に可動扉３の摺動部を差し込み、その状態で可動扉板５、５を止め釘１０で固着すれば可動扉側板５、５間に可動扉３が上下に摺動自在となる。
【００１４】
更に、前記可動扉３を操作するのに止め金具６が用いられている。この止め金具６は、釘などが使用されており可動扉３の止め金具孔４を介して着脱自在になるように構成されている。この止め金具６は、金具止めひも７を介して可動扉側板５に係止されている。なお、１１は養蜂箱蓋である。
図３から図５は、本発明の要部を示した一部拡大図である。本図から明らかのように、本発明の要部は巣門と通気口との開閉蓋に上下可動式の蓋材を用い、この可動蓋３の開閉に上下摺動自在となるようにスプリング状の折曲弾材８を取り付けたところにある。すなわち、可動扉３で巣門１２を密閉状態にする場合は、手でもって可動扉３を下方向に押し込み止め金具孔４に止め金具６を差し込み、反対に可動扉３で網張りＡされている通気口を密閉状態にする場合は止め金具６を止め金具孔４から引き抜けば可動扉３は折曲弾材８の弾力で瞬時に上方向に摺動されて網張りＡが密閉されることになる。なお、折曲弾材８の中央部分にＶ字状の屈曲部９が形成されているので、反撥力が強力になって可動扉３は自動的にしかもワンタッチで上方向に摺動されることになる。更に、図５は止め金具１３の他の実施例を示したものであり二又式の金具を図示されているが、これ以外の止め金具を使用することも可能である。
【００１５】
【発明の効果】
本発明は、養蜂箱に巣門と通気口とを備えた養蜂箱本体と該養蜂箱本体との開閉を自在にした養蜂箱蓋とから成る養蜂箱において、前記巣門と通気口との開閉に上下摺動自在となる可動扉を設け該可動扉の作動にＬ字状に形成してなる折曲弾材を取り付けたことを特徴とする巣門の開閉蓋を備えた養蜂箱であり、また前項の可動扉が両側部の可動扉側板に付設され該両側部の可動側板を介して可動扉を上下に摺動自在にし、更に前記可動扉の上下摺動の折曲弾材としてスプリングを介して開閉自在にする巣門の開閉蓋を備えた養蜂箱であり、更に前記可動扉の開閉操作に止め金具を用い巣門を密封状態にする場合には可動扉を前記折曲弾材用スプリングにて押圧して止め金具で係止し、一方巣門を開封状態にする場合には前記止め金具を取りはずして前記折曲弾材用スプリングの弾力により可動扉を瞬時に上部に押し上げて巣門を開封する巣門の開閉蓋を備えた養蜂箱であるから、従来のような手動式の可動扉や回動扉などに比べて構造も操作もいたって簡便であり、しかも可動扉を安全かつ強固に固定させることができるのでプロの養蜂家は勿論のこと、農家などの素人の人でも簡単に操作することができる巣門の開閉蓋を備えた養蜂箱といえる。
【図面の簡単な説明】
【図１】本発明からなる巣門の開閉蓋を備えた養蜂箱を示した斜視図。
【図２】図１に示した養蜂箱の組立分解図。
【図３】本発明の要部を示した一部拡大断面図。
【図４】本発明の要部を示した一部拡大斜視図。
【図５】本発明の他の一部実施例を示した斜視図。
【図６】従来公知の養蜂箱を示した正面図。
【図７】従来公知の養蜂箱を示した正面図。
【図８】従来公知の養蜂箱を示した正面図。
【符号の説明】
１  養蜂箱本体                    ２  底板
３  可動扉                        ４  止め金具孔
５、５  可動扉側板                ６  止め金具
７  金具止めひも                  ８  折曲弾材
９  折曲部                        １０  止め釘
１１  養蜂箱蓋                    １２  巣門
１３  二又金具                    ２０  可動扉
２１  巣門                        ２２  網張り
２３  通気口                      ３１  開閉蓋
３２  支持軸                      ３３  取手
３４  スプリング                  ３５  可動扉
３６、３７  ストッパー            ３８  縦板
３９  表板                        ４３  通気口
５１  養蜂箱本体                  ５２  通気口
５３  開閉蓋                      ５４  作動ツマミ
５５  支軸ネジ                    ５６  ストッパー
５７  巣門                        ５８  養蜂箱蓋
Ａ  網張り                        Ｍ  ミツばち
【図１】
0004304301.tif 000002
【図２】
0004304301.tif 000003
【図３】
0004304301.tif 000004
【図４】
0004304301.tif 000005
【図５】
0004304301.tif 000006
【図６】
0004304301.tif 000007
【図７】
0004304301.tif 000008
【図８】
0004304301.tif 000009